(57)【要約】【課題】地震により枠体を介し扉に過負荷がかかっても容易にラッチボルトやデッドボルトを施錠装置内に没入できるようにした施錠装置のボルト受け具を提供する。【解決手段】受け具８のストライク９はガイド面１１と孔部１２を有する。ラッチボルト３は、一側面に傾斜面６が形成され、他側面には垂直係合面７が形成されている。上記孔部には、垂直係合面７が係合する垂直壁面１３が形成され、この垂直壁面は上り傾斜で微傾斜している。デッドボルト４は見込み寸法がラッチボルト３の見込み寸法より小さい。デッドボルト４の側面とストライクの孔部縁の間隔はラッチボルトの先端とガイド面の後縁の間隔より大きい。【選択図】図２
2014037748.tif 000002
【特許請求の範囲】
【請求項１】
一側面に傾斜面が形成され他側面に垂直係合面が形成されたラッチボルト及び該ラッチボルトの見込み寸法より小さい見込み寸法のデッドボルトを具備する施錠装置のボルト受け具であって、該受け具はストライクを有し、該ストライクは、扉を閉鎖する際ラッチボルトの傾斜面が辷りつつラッチボルトが施錠装置内に後退するよう案内するガイド面と、扉の閉鎖位置で施錠装置内から突出した上記ラッチボルトが進入するとともにデッドボルトが進入可能な孔部を有し、上記孔部には上記ガイド面の後縁に繋がりラッチボルトの垂直係合面が係合可能な垂直壁面が形成され、該ラッチボルトが孔部に突出した際上記垂直係合面が密着しないよう垂直壁面は扉の開き方向に向かって上り傾斜でガイド面に繋がる微傾斜面に形成され、上記デッドボルトの側面と上記ストライクの孔部の側縁の間隔は少なくとも上記ストライクの垂直壁面に当接するラッチボルトの先端とガイド面の後縁間の間隔より大きく形成されていることを特徴とする施錠装置のボルト受け具。
【請求項２】
上記孔部はラッチボルトに対応する部分とデッドボルトに対応する部分に分かれて形成されている請求項１に記載の施錠装置のボルト受け具。
【請求項３】
上記孔部はラッチボルトに対応する部分とデッドボルトに対応する部分に一連に形成されている請求項１に記載の施錠装置のボルト受け具。
【請求項４】
上記ストライクの垂直壁面の傾斜角度は、３°〜７°に形成されている上記請求項１から３のいずれかに記載の施錠装置のボルト受け具。
【請求項５】
上記請求項１〜４に記載の施錠装置のボルト受け具を備え、対震ヒンジで枠体に扉を吊り込んだ扉装置。
【発明の詳細な説明】
【技術分野】
【０００１】
本発明は、扉の小口面に設けられた施錠装置から常時出没可能に突出するラッチボルト及び施錠操作により突出されるデッドボルドが係合するよう枠体戸先側竪枠に設けられる施錠装置のボルト受け具及びこの受け具を有する扉装置に関する。
【背景技術】
【０００２】
扉の戸先側小口面に対し面一（つらいち）に取り付けられた施錠装置は、ラッチばねにより施錠装置から常時出没可能に突出するよう付勢されたラッチボルトと、施錠時にキー操作やサムターン操作により突出するデッドボルトを有している。一方、戸先側竪枠小口面には、上記ラッチボルト及びデッドボルトが係合可能なボルト受け具が設けられ、扉の閉鎖時にラッチボルトをボルト受け具に係合して閉鎖状態を維持し、この状態でデッドボルトを係合させることにより施錠を行っている。通常このボルト受け具は、孔部を有するストライクと、該ストライクの孔部に入り込んだボルトを受け入れるための受け空間を構成するようストライクの裏面側に設けられるトロヨケで構成されている。このトロヨケは省略されることがあり、ストライクだけで受け具を構成することもある。
【０００３】
上記ラッチボルトの側面は、扉を閉鎖する際上記ストライクのガイド面に最初に接する側が傾斜面となっており、反対側の側面はラッチボルトの進退方向に沿って延びる垂直係合面に形成されている。また、上記ストライクには、扉を閉鎖する間際に上記ラッチボルトが辷りつつ移動するガイド面と、該ガイド面から外れたラッチボルトを受け入れかつ施錠の際に上記デッドボルトを受け入れる孔部と、孔部のガイド面側に設けられ上記ラッチボルトが退避する際上記垂直係合面の辷り面となる垂直壁面を具備している。
【０００４】
施錠装置の上記ラッチボルト、デッドボルトとボルト受け具の関係を詳述すると、扉の閉鎖間際でラッチボルトは、ラッチボルトの傾斜面側がストライクのガイド面を辷りつつ、常時突出方向に付勢するラッチばねに抗して施錠装置のフロント面とほぼ面一の位置まで後退して施錠装置内に没入する。ラッチボルトがストライクの孔部に対応する位置まで扉が閉鎖すると、ラッチボルトはラッチばねの作用で突出し、ラッチボルトの垂直係合面とストライクの垂直壁面が辷りながら係合し、扉が閉鎖し、閉鎖状態を維持する。この閉鎖状態では、施錠装置のデッドボルトはストライクの孔部に進入可能な位置に対応しているから、サムターン或いはキーを回転するとデッドボルトは孔部内に入り込んでストライクに係合し、施錠が完了する。
【０００５】
扉を開く場合、サムターン或いはキーにより施錠装置を開錠操作すると、デッドボルトはストライクから退避し、施錠装置内に入り込む。ハンドル、ノブ等を回転するとラッチボルトはラッチばねの付勢力に抗して後退し、垂直係合面が垂直壁面を辷りながら施錠装置内に没入し、ストライクとの係合が解除される。その後、ハンドル、ノブ等を押し若しくは引くことにより扉を開くことができる。
【０００６】
施錠装置を取り付けた扉は、ボルト受け具を取り付けた枠体に開閉自在に吊り込まれるが、この扉の吊り込みには、丁番、ピボットヒンジ、対震丁番、対震ピボットヒンジ等の各種ヒンジが用いられている。そして、枠体に外力が加わって変形することがなければ、扉は過負荷を受けないので施錠装置のデッドボルトは施解錠操作により受け具に対して自在に進退し、ラッチボルトもハンドルやノブの操作により垂直係合面が垂直壁面を辷って施錠装置内に後退し、支障なく扉を開閉することができる。
【０００７】
枠体に外力が加わり、枠が上下に変形することを見込んでストライクの孔部や垂直壁面を上下方向に延長したり、ラッチボルトの傾斜面が辷る辷り面を上下方向に伸ばしたストライクを用いることが考慮される。しかし、このように延長させても、通常の丁番、ピボットヒンジ等で扉を吊り込んだ場合には、地震等の大きな外力で枠体が変形して扉に過負荷が加わると、ラッチボルトやデッドボルトがストライクに押しつけられるので、下記するような理由により扉を簡単に開くことができなくなる。
【０００８】
ラッチボルトが過負荷によりストライクに圧接している状態を検討する。この場合、デッドボルトの見込み寸法は、ラッチボルトの見込み寸法よりも通常小さく形成されているから、デッドボルトはストライクに圧接されておらず、そのためデッドボルトはストライクの孔部から容易に退避させることができるが、上記過負荷によりラッチボルトの垂直係合面とストライクの垂直壁面間には過大な垂直荷重が作用することになるため、ハンドルを回転してもラッチボルトを簡単に退避させることができず、扉を開くことができない。
【０００９】
また、施錠装置のデッドボルトを後退させる前に無理してラッチボルトをストライクの孔部から退避させることができたとしても、扉に作用している上記過負荷により扉はデッドボルトがストライクに当たる方向に移動するから、デッドボルトはストライクの垂直壁面に当たり、デッドボルトと垂直壁面間には過負荷が直接作用するようになる。そのため、サムターンやキー操作によりデッドボルトをストライクから後退させようとしても、退避させることができず、扉を開放することができない。さらに、上記ラッチボルトやデッドボルトをストライクの孔部から無理に退避させることができたとしても、扉を吊り込んでいる丁番やピボットヒンジが通常のヒンジの場合には、枠体の変形により枠体と扉間に過負荷が加わるとともにヒンジの回動部分にも過負荷が作用し、ヒンジを回動させることができなくなるので、扉を開くことができない。
【００１０】
上記のように枠体が地震等の外力により変形し、扉に過負荷が作用したときは、扉を対震丁番や対震ピボットヒンジ等の対震ヒンジで吊り込んだ場合でもほぼ同様な現象が見られる。すなわち、ラッチボルトの垂直係合面とストライクの垂直壁面間に過負荷が作用しているので、ラッチボルトを後退させることができず、無理にラッチボルトを後退させたとしてもデッドボルトを後退させることができない。一方、対震丁番や対震ピボットヒンジで吊り込んだ扉を用意し、施錠装置のラッチボルトおよびデッドボルトをストライクの孔部から退避させた状態で、閉鎖されている扉の枠体に外力をかけて枠体を変形し、扉に過負荷をかけてから、扉を開放できるかどうか実験したところ、扉を開くことができた。したがって、枠体に変形を生じるような大きな地震があっても、対震丁番や対震ピボットヒンジ等の対震ヒンジで扉を吊り込み、ボルト受け具としてストライクの孔部からラッチボルトやデッドボルトを確実に退避できるように構成した対震用の受け具を用いれば、地震等の場合でも安心である。
【００１１】
従来対震用ドア枠の錠受具が種々提案されている（例えば特許文献１参照）。この特許文献１に記載の錠受具は、「扉の開く側の受座から内向きに傾斜湾曲部と受座の表面と直角に屈曲してなる摺接部を連接して形成したラッチボルトの摺接する受片を設けた」構成である。そして、「地震によりドア枠ＣがねじれてドアＢが面外に押し出されたときには受片１４の摺接部１４２にラッチボルトＲが圧接して受片１４の傾斜湾曲部１４１から湾曲変形することになり、ラッチボルトＲを抜き出すスペースを確保することができ、室内からドアＢを開けて外に出ることが可能になる」と記載されている。しかし、上記受片が湾曲変形するよう構成してあっても、変形の程度は予測することができず、荷重が大きいと受片はほぼ扁平状態に変形してしまうことになる。このような状態では変形後もラッチボルトと受片間には過負荷が直接作用することになって、ラッチボルトを移動させることができず、扉を開放することはできない。また、特許文献１に記載のデッドボルトＤはこの受片１４に当たるよう構成されているので、上記のように受片が大きく変形した状態でラッチボルトを無理して退避させることができたとしても、次にデッドボルトが受片に圧接して過負荷が直接作用することになるから、錠装置内にデッドボルトを後退させることもできなくなる。
【００１２】
また、ストライクに垂直壁面を設けないで、柱等が歪んでも扉を確実に緊締できるよう傾斜壁面を設けた受け具も知られている（例えば、特許文献２参照）。しかし、従来提案されているものは、ガタを生じないようにすることを目的としており、地震時等に過負荷が施錠装置にかかったとき、該装置のラッチボルトやデッドボルトを後退させて確実に扉を開放できるようにしたことを目的とするボルト受け具ではない。その上、特許文献２に記載の受金具は、ガタの発生を防止するため傾斜面の傾斜角度が大きく、かつ弾性的に構成されているので、扉を閉鎖しているとき扉に寄り掛かったり、大きな風圧が作用すると、傾斜面の作用によりラッチボルトはラッチばねに抗して施錠装置内に押し戻されてしまい、簡単に扉が開放されるおそれがある。
【先行技術文献】
【特許文献】
【００１３】
【特許文献１】実公平６−１３３２５号公報（請求項１、第５欄末行〜第６欄５行、第６欄１２行〜１８行、第１図、第３図、第７図）
【特許文献２】実公昭４１−１９０８５号公報（実用新案登録請求の範囲、第２図）
【発明の概要】
【発明が解決しようとする課題】
【００１４】
本発明は、地震等で枠体や扉が変形し、扉を介してラッチボルトやデッドボルトとストライク間に過負荷が作用したとき、特許文献１に記載の受片のように受片の変形の程度にかかわらず、ラッチボルトやデッドボルトを容易に後退させることができるようにした施錠装置のボルト受け具及びそれを使用した扉装置を提供することである。
【課題を解決するための手段】
【００１５】
上記のように、枠体の変形により扉に過負荷が作用したとき、ラッチボルトをストライクの孔部から後退させることがむずかしいのは、ラッチボルトの垂直係合面とストライクの垂直壁面が過負荷により密着し、この状態でラッチボルトの垂直係合面をストライクの垂直壁面に沿って辷らせながら移動させようとするから、大きな摩擦力によりラッチボルトを移動させることができないのが原因と考えられる。そこで、本願発明者等は、ラッチボルトを後退させるときラッチボルトの先端がストライクの垂直壁面からすぐに離れるよう施錠時にラッチボルトの垂直係合面がストライクの垂直壁面に密着しないよう垂直壁面を微傾斜させれば、ラッチボルトに過負荷が作用していてもラッチボルトの移動は容易であることに想到した。しかし、この際、特許文献２のように大きく傾斜させると、扉の閉鎖状態を維持することができなくなる。また、過負荷が作用してラッチボルトの垂直係合面がストライクの垂直壁面に当ったとき、デッドボルトがストライクの垂直壁面に当たらないようにすれば、デッドボルトを移動させることは可能である。
【００１６】
上記のような知見に基づき、本発明によれば、一側面に傾斜面が形成され他側面に垂直係合面が形成されたラッチボルト及び該ラッチボルトの見込み寸法より小さい見込み寸法のデッドボルトを具備する施錠装置のボルト受け具であって、該受け具はストライクを有し、該ストライクは、扉を閉鎖する際ラッチボルトの傾斜面が辷りつつラッチボルトが施錠装置内に後退するよう案内するガイド面と、扉の閉鎖位置で施錠装置内から突出した上記ラッチボルトが進入するとともにデッドボルトが進入可能な孔部を有し、上記孔部には上記ガイド面の後縁に繋がりラッチボルトの垂直係合面が係合可能な垂直壁面が形成され、該ラッチボルトが孔部に突出した際上記垂直係合面が密着しないよう垂直壁面は扉の開き方向に向かって上り傾斜でガイド面に繋がる微傾斜面に形成され、上記デッドボルトの側面と上記ストライクの孔部の側縁の間隔は少なくとも上記ストライクの垂直壁面に当接するラッチボルトの先端とガイド面の後縁間の間隔より大きく形成されていることを特徴とする施錠装置のボルト受け具が提供され、上記課題が解決される。
【００１７】
また、本発明によれば、上記ストライクの垂直壁面の傾斜角度は、約３°〜７°、好ましくは約５°に形成されている上記施錠装置のボルト受け具が提供される。
【発明の効果】
【００１８】
本発明は上記のように構成され、一側面に傾斜面が形成され他側面に垂直係合面が形成されたラッチボルト及び該ラッチボルトの見込み寸法より小さい見込み寸法のデッドボルトを具備する施錠装置のボルト受け具であって、該受け具はストライクを有し、該ストライクは、扉を閉鎖する際ラッチボルトの傾斜面が辷りつつラッチボルトが施錠装置内に後退するよう案内するガイド面と、扉の閉鎖位置で施錠装置内から突出した上記ラッチボルトが進入するとともにデッドボルトが進入可能な孔部を有し、上記孔部に上記ガイド面の後縁に繋がりラッチボルトの垂直係合面が係合可能な垂直壁面を形成し、該ラッチボルトが孔部に突出した際上記垂直係合面が密着しないよう垂直壁面を扉の開き方向に向かって上り傾斜でガイド面に繋がる微傾斜面に形成したので、扉閉鎖時にストライクの孔部に進入したラッチボルトは垂直壁面の傾斜が微傾斜であるから、ラッチボルトの先端が充分突出した状態で垂直壁面に線接触状態で係合し、扉に大きな風圧が作用してもラッチボルトが押し戻されて施錠装置内に簡単に没入するおそれはなく、確実に扉を閉鎖することができる。また、地震等でラッチボルトに過負荷が作用しても施錠装置のハンドルを回転すれば、ストライクの垂直壁面に線接触状態のラッチボルトの先端はストライクから容易に離れ、ラッチボルトをストライクの孔部から後退させて扉を開放することができる。
【００１９】
さらに、上記デッドボルトの側面と上記ストライクの孔部の側縁の間隔を、少なくとも上記ストライクの垂直壁面に当接するラッチボルトの先端とガイド面の後縁間の間隔より大きく形成したので、ラッチボルトの垂直係合面がストライクの垂直壁面に当たってラッチボルトを後退させることがむずかしいような状態のときでも、デッドボルトはストライクの孔部縁に当たっていないので、サムターンやキー操作で容易に施錠装置内に引き込むことができる。また、ラッチボルトを無理に後退させたときでも、デッドボルトをストライクの孔部縁間には隙間が形成されているので、デッドボルトを施錠装置内に没入させることができる。
【００２０】
上記ストライクの垂直壁面の傾斜角度を、約３°〜７°、好ましくは約５°程度に形成すると、風圧や人為的に扉を開放方向に押しても、扉に加わる力に基づき垂直壁面を介してラッチばねに抗してラッチボルトを施錠装置内に没入させようとする分力は、ラッチばねの力より大きくならないので、扉の閉鎖状態を確実に維持することができる。
【図面の簡単な説明】
【００２１】
【図１】扉と枠体の関係を示す説明図。
【図２】受け具部分を示し、（Ａ）はストライクとボルトの関係を示す説明図、（Ｂ）は（Ａ）のＢ−Ｂ線断面図、（Ｃ）は（Ａ）のＣ−Ｃ線断面図。
【図３】ストライクの一例を示し、（Ａ）は正面図、（Ｂ）は断面図。
【図４】ストライクの垂直壁面の拡大説明図。
【発明を実施するための形態】
【００２２】
図１は、扉１と枠体２の関係を示し、扉１は好ましくは対震丁番、対震ピボットヒンジ等の対震ヒンジ（図示略）で吊り込まれており、扉１にはラッチボルト３とデッドボルト４を有する施錠装置５が設けられている。公知のように、ラッチボルト３はラッチばね（図示略）により常時施錠装置から突出するように付勢され、ハンドル（図示略）を回転して装置内に没入させることができる。また、デッドボルト４は通常ラッチボルトの上方に位置し、見込み寸法（厚さ）がラッチボルトよりも小さく、図示を省略したサムターンやキー操作により出没される。図２に示すように、ラッチボルト３の一側面、閉鎖の際枠体に近づく側の側面には、傾斜面６が形成され、他側面には垂直係合面７が形成されている。
【００２３】
扉の閉鎖においてラッチボルト、デッドボルトに対向する枠体２の竪枠には、ボルトの受け具８が設けられている。受け具８は、ストライク９のみ、若しくは図示するようにストライク９と該ストライクの裏面側に位置するトロヨケ１０で構成されている。このストライクには、扉１を閉鎖する際ラッチボルト３の傾斜面６が辷りつつラッチボルトが施錠装置内に後退するよう案内するガイド面１１と、扉１の閉鎖位置で施錠装置５から突出したラッチボルト３が進入するとともにデッドボルト４が進入可能な孔部１２が形成されている。図に示す実施例では、ラッチボルト３とデッドボルト４の孔部１２を一連に形成して一つの孔部で構成しているが、ラッチボルト、デッドボルトにそれぞれ対応する部分に分離し、２つの孔部に構成してもよい。
【００２４】
上記孔部１２には、上記ガイド面１１の後縁に繋がりラッチボルト３の垂直係合面７が辷り接触可能な垂直壁面１３が形成されている。この垂直壁面１３は、ラッチボルト３が孔部１２に突出した際、ラッチボルトの垂直係合面７が密着しないよう扉の開き方向に向かって上り傾斜でガイド面１１に繋がる微傾斜面に形成されている。この微傾斜面の傾斜角度θは、図４に示すように、約３°〜７°、好ましくは約５°に形成してある。このように形成すると、ラッチボルト３は先端が十分突出した状態で垂直壁面１３に線接触状態で係合し、扉に大きな風圧が作用したり、人為的に扉を押しても、ラッチボルトがラッチばねに抗して装置内に没入しないようにできる。
【００２５】
図２を参照し、上記孔部１２にラッチボルト３及びデッドボルト４が突入すると、デッドボルト４の幅（見込み寸法）ＢＤはラッチボルト３の幅（見込み寸法）ＢＲより小さいので、ラッチボルト３の先端が垂直壁面１３に係合した状態でデッドボルト４は垂直壁面１３に係合していないが、デッドボルト４とストライクの孔部１２縁の間の間隔が狭いと、ラッチボルト３を孔部から後退したときデッドボルト４が垂直壁面１３に係合するおそれがある。そこで、デッドボルト４の側面と上記ストライク９の孔部の側縁の間隔Ｂ２を、少なくとも上記ストライク９の垂直壁面１３に当接するラッチボルト３の先端とガイド面１１の後縁間の間隔Ｂ１よりも大きく形成してある。図３において説明すると、デッドボルト４が入り込む孔部１２の間隔Ｂ３は、ラッチボルト３が入り込む孔部１２の間隔Ｂ４よりも大きい。この大きさの差は、ほぼ上記デッドボルトを受け入れる孔部には、上記垂直壁面を形成していない大きさに相当している。なお、孔部１２の上下方向の長さは、地震時に上下方向に扉若しくは枠体がズレル程度を考慮して、通常の対震性のない受け具の場合の孔部の長さよりも長く形成してあり、垂直壁面１３の長さも通常の対震性のない受け具の垂直壁面よりも長く形成されているが、デッドボルトには当接しない長さに設けられている。
【００２６】
上記の構成により通常使用する際は、扉１を閉鎖位置に回動すると、ラッチボルト３は受け具８のガイド面１１により押し戻されて施錠装置５内に没入しつつ閉鎖方向に移動し、孔部１２に達したときラッチばねの作用で施錠装置５から突出して孔部１２に進入し、先端が垂直壁面１３に当接係合し、扉１の閉鎖状態を維持する。この時、扉に開放方向に力が作用しても、上記垂直壁面１３の傾斜角度θはわずかであるから、ラッチボルトが押し戻されて施錠装置内に簡単に後退するおそれはない。そして、キー操作やサムターン操作でデッドボルト４を孔部内に突出させれば、扉を施錠することができる。
【００２７】
地震等により枠体２に大きな負荷が作用し、扉１に過負荷がかかると、上記ラッチボルト３の垂直係合面７とストライク９の垂直壁面１３間に過負荷が及ぼされる。このようなときであっても、上記垂直壁面１３を微傾斜させたことにより垂直壁面１３とラッチボルト３の先端は線接触状態で係合しているから、ハンドル回転すれば先端は垂直壁面１３からすぐに離れ、軽い操作で後退させることができる。また、デッドボルト４とストライク９の孔部１２縁間には、過負荷を受けてラッチボルト３が垂直壁面１３に係合している状態のときでも、間隙Ｂ２が形成されているから、サムターンやキーにより施錠装置内に簡単に没入させることができ、扉を開放することができる。
【符号の説明】
【００２８】
１  扉
２  枠体
３  ラッチボルト
４  デッドボルト
５  施錠装置
６  傾斜面
７  垂直係合面
８  受け具
９  ストライク
１０  トロヨケ
１１  ガイド面
１２  孔部
１３  垂直壁面
【図１】
2014037748.tif 000003
【図２】
2014037748.tif 000004
【図３】
2014037748.tif 000005
【図４】
2014037748.tif 000006
【手続補正書】
【提出日】平成24年8月24日(2012.8.24)
【手続補正２】
【補正対象書類名】明細書
【補正対象項目名】０００１
【補正方法】変更
【補正の内容】
【０００１】
本発明は、扉の小口面に設けられた施錠装置から常時出没可能に突出するラッチボルト及び施錠操作により突出されるデッドボルトが係合するよう枠体戸先側竪枠に設けられる施錠装置のボルト受け具及びこの受け具を有する扉装置に関する。